(57)【要約】【課題】弁保持体に形成された挿入孔が有底孔であっても、スプール弁を挿入孔から取り出せるようにすること。【解決手段】弁ハウジング２２内に弁体２４を有し、弁保持体１００に形成された挿入孔１０２に挿入されるスプール弁１０であって、弁ハウジング２２の端部に、当該スプール弁１０を挿入孔１０２から引き抜くための係合部として鉤形部５０を有する。【選択図】図２
2019218979.tif 000002
【特許請求の範囲】
【請求項１】
弁ハウジング及び前記弁ハウジング内に設けられた弁体を有し、弁保持体に形成された挿入孔に挿入されるスプール弁であって、
前記弁ハウジングの端部に、当該スプール弁を前記挿入孔から引き抜くための係合部を有するスプール弁。
【請求項２】
前記係合部は鉤形部を含んでいる請求項１に記載のスプール弁。
【請求項３】
前記係合部は雌ねじ孔或いは雄ねじ軸を含んでいる請求項１に記載のスプール弁。
【請求項４】
弁ハウジング及び前記弁ハウジング内に設けられた弁体を有するスプール弁と、
前記スプール弁を挿入される有底の挿入孔を形成された弁保持体とを含み、
前記スプール弁は前記弁ハウジングの端部に、当該スプール弁を前記挿入孔から引き抜くための係合部を有する弁組立体。
【請求項５】
請求項１から３の何れか一項に記載のスプール弁を弁保持体に形成された有底の挿入孔から抜き出す方法であって、
先端に前記係合部と係合可能な被係合部を有する工具を前記挿入孔の開口端から当該挿入孔内に挿入する工程と、
前記工具を前記挿入孔内において回転させて前記被係合部を前記係合部に係合させる工程と、
前記被係合部に前記係合部が係合した状態で前記工具を前記挿入孔から引き出して前記挿入孔の前記開口端から前記スプール弁を前記挿入孔外に抜き出す工程とを有するスプール弁の抜き出し方法。
【発明の詳細な説明】
【技術分野】
【０００１】
本発明は、スプール弁、弁組立体及びスプール弁の抜き出し方法に関し、更に詳細には、弁保持体に形成された挿入孔に挿入されるスプール弁、弁組立体及びスプール弁の抜き出し方法に関する。
【背景技術】
【０００２】
スプール弁として、スプール弁の全体が流体通路を形成されているマニホールド等の弁保持体に組み込まれて使用されるものが知られている（例えば、特許文献１）。
【０００３】
保守等に際してスプール弁を弁保持体から取り外すことがある。スプール弁が弁保持体に形成された挿入孔に挿入される場合には、スプール弁の保守や交換に際して挿入孔からスプール弁を引き出す作業が必要になる。挿入孔が両端開口である場合には、挿入孔の一方の開口から挿入孔に棒状部材を挿入或いはねじ棒をねじ込むことによってスプール弁を挿入孔の他方の開口から押し出すことができる（例えば、特許文献２）。
【先行技術文献】
【特許文献】
【０００４】
【特許文献１】特開平１０−２４３３号公報
【特許文献２】特開平１０−２５２９０４号公報
【発明の概要】
【発明が解決しようとする課題】
【０００５】
しかし、挿入孔が片端開口の有底孔である場合には、棒状部材やねじ棒によって挿入孔からスプール弁を押し出すことができない。
【０００６】
本発明が解決しようとする課題は、弁保持体に形成された挿入孔が有底孔であっても、スプール弁を挿入孔から取り出せるようにすることである。
【課題を解決するための手段】
【０００７】
本発明の一つの実施形態によるスプール弁は、弁ハウジング（２２）内に弁体（２４）を有し、弁保持体（１００）に形成された挿入孔（１０２）に挿入されるスプール弁（１０）であって、前記弁ハウジング（２２）の端部に、当該スプール弁（１０）を前記挿入孔（１０２）から引き抜くための係合部（５０、５２、５４）を有する。
【０００８】
この構成によれば、係合部（５０、５２、５４）に係合する工具（１２０、１３０、１４０）を用いてスプール弁（１０）を挿入孔（１０２）から抜き出すことができる。
【０００９】
上記スプール弁において、好ましくは、前記係合部は鉤形部（５０）を含んでいる。
【００１０】
この構成によれば、鉤形部（５０）に引っ掛かる工具（１２０）を用いてスプール弁（１０）を挿入孔（１０２）が抜き出すことができる。
【００１１】
上記スプール弁において、好ましくは、前記係合部は雌ねじ孔（５２）或いは雄ねじ軸（５４）を含んでいる。
【００１２】
この構成によれば、雌ねじ孔（５２）或いは雄ねじ軸（５４）にねじ係合する工具（１３０、１４０）を用いてスプール弁（１０）を挿入孔（１０２）から抜き出すことができる。
【００１３】
本発明の一つの実施形態による弁組立体は、弁ハウジング（２２）及び前記弁ハウジング（２２）内に設けられた弁体（２４）を有するスプール弁（１０）と、前記スプール弁（１０）を挿入される有底の挿入孔（１０２）を形成された弁保持体（１００）とを含み、前記スプール弁（１０）は前記弁ハウジング（２２）の端部に、当該スプール弁（１０）を前記挿入孔（１０２）から引き抜くための係合部（５０、５２、５４）を有する。
【００１４】
この構成によれば、係合部（５０、５２、５４）に係合する工具（１２０、１３０、１４０）を用いてスプール弁（１０）を有底の挿入孔（１０２）から抜き出すことができる。
【００１５】
本発明の一つの実施形態によるスプール弁の抜き出し方法は、上述の実施形態によるスプール弁（１０）を弁保持体（１００）に形成された有底の挿入孔（１０２）から抜き出す方法であって、先端に前記係合部（５０、５２、５４）と係合可能な被係合部（１２０Ｂ、１３０Ｂ、１４０Ｂ）を有する工具（１２０、１３０、１４０）を前記挿入孔（１０２）の開口端（１０２Ａ）から当該挿入孔（１０２）内に挿入する工程と、前記工具（１２０、１３０、１４０）を前記挿入孔（１０２）内において回転させて前記被係合部（１２０Ｂ、１３０Ｂ、１４０Ｂ）を前記係合部（５０、５２、５４）に係合させる工程と、前記被係合部（１２０Ｂ、１３０Ｂ、１４０Ｂ）に前記係合部（５０、５２、５４）が係合した状態で前記工具（１２０、１３０、１４０）を前記挿入孔（１０２）から引き出して前記挿入孔（１０２）の前記開口端（１０２Ａ）から前記スプール弁（１０）を前記挿入孔（１０２）外に抜き出す工程とを有する。
【００１６】
この抜き出し方法によれば、有底の挿入孔（１０２）からスプール弁（１０）を取り出すことができる。
【発明の効果】
【００１７】
本発明によるスプール弁によれば、弁保持体に形成された挿入孔から有底孔であっても、スプール弁を挿入孔から取り出すことができる。
【図面の簡単な説明】
【００１８】
【図１】本実施形態によるスプール弁が弁保持体に組み込まれた状態を示す断面図
【図２】本実施形態によるスプール弁の斜視図
【図３】本実施形態によるスプール弁の断面図
【図４】他の実施形態によるスプール弁の斜視図
【図５】他の実施形態によるスプール弁の斜視図
【発明を実施するための形態】
【００１９】
以下に、本発明によるスプール弁の一つの実施形態を、図１〜図３を参照して説明する。
【００２０】
図１に示されているように、弁保持体１００は、円柱形状（円筒形状）のスプール弁１０を挿入される挿入孔（丸孔）１０２と、スプール弁１０の各ポート（後述の切換ポート２５、２６、２８及びパイロットポート３０、３２）に連通する通路１０４及び各通路１０４のための外部接続ポート１０６とを有する。挿入孔１０２は弁保持体１００の一方の外側面１００Ａに開口端１０２Ａをもって開口した有底孔である。
【００２１】
スプール弁１０は、パイロット式の空気圧切換弁であり、図３に示されているように、円筒状のハウジング本体１２及びハウジング本体１２の両端に各々スプリングピン１４、１６によって固定されたエンドプラグ（ストッパ）１８、２０による弁ハウジング２２と、弁ハウジング２２内に軸線方向に移動可能に設けられた弁体２４とを有する。
【００２２】
ハウジング本体１２には３個の切換ポート２５、２６、２８及び２個のパイロットポート３０、３２が形成されている。弁体２４は、２個のランド部３４、３６を有し、一方の端面２４Ａがエンドプラグ１８の先端のストッパ面１９に当接する第１の切換位置と、他方の端面２４Ｂがエンドプラグ２０の先端のストッパ面２１に当接する第２の切換位置との間を往復移動することができる。弁ハウジング２２は、弁体２４とエンドプラグ１８との間及び弁体２４とエンドプラグ２０との間に各々パイロット室４０、４２を画定している。
【００２３】
弁体２４は、パイロットポート３２からパイロット室４２に所定値以上の空気圧（パイロット圧）が供給されている時には、図３に示されているように、第１の切換位置に位置して切換ポート２６と２８との連通を遮断して切換ポート２６と２５との連通を確立する。弁体２４はパイロットポート３０からパイロット室４０に所定値以上の空気圧が供給されている時には、第２の切換位置に位置して切換ポート２６と２５との連通を遮断して切換ポート２６と２８との連通を確立する。
【００２４】
ハウジング本体１２の外周には複数のＯリング４４が装着されている。弁体２４の外周には複数のＯリング４６が装着されている。エンドプラグ１８及び２０にはＯリング４８が装着されている。
【００２５】
エンドプラグ１８の軸線方向の外端、つまり弁ハウジング２２一方の最端部には、図１〜図３に示されているように、スプール弁１０を挿入孔１０２から引き抜くための係合部をなす鉤形部５０が形成されている。
【００２６】
鉤形部５０は、エンドプラグ１８の軸線方向に延在して外端面１８Ａ及び外周面１８Ｂに開口して軸線方向スリット５０Ａと、エンドプラグ１８の径方向に延在して軸線方向スリット５０Ａに連通すると共に外周面１８Ｂに開口した径方向スリット５０Ｂとにより、Ｔ字形をなしている。
【００２７】
スプール弁１０は、図１に示されているように、エンドプラグ１８が開口端１０２Ａ側に位置する姿勢で、挿入孔１０２の奥部まで挿入される。
【００２８】
スプール弁１０の修理や交換に際して、スプール弁１０を挿入孔１０２から抜き出す作業は、図１及び図２に示されているように、シャンク部１２０Ａの先端の外方延出部１２０Ｂを有するＴ字形をした板状の工具１２０の先端側を、開口端１０２Ａから挿入孔１０２に挿入し、外方延出部（被係合部）１２０Ｂを、軸線方向スリット５０Ａを通して径方向スリット５０Ｂに位置させる。この状態で、つまり挿入孔１０２内で工具１２０を長手軸線周りに９０度回転させ、外方延出部１２０Ｂを鉤形部５０に引っ掛けた状態で工具１２０を挿入孔１０２から引き出すことにより、スプール弁１０が工具１２０によって引かれるようにして挿入孔１０２の開口端１０２Ａから挿入孔１０２外に抜き出される。
【００２９】
つまり、本実施形態によるスプール弁１０の抜き出し方法は、工具１２０を挿入孔１０２の開口端１０２Ａから当該挿入孔１０２内に挿入する工程と、工具１２０を挿入孔１０２内において回転させて外方延出部１２０Ｂをスプール弁１０の鉤形部５０に係合せる工程と、外方延出部１２０Ｂに鉤形部５０が係合した状態で工具１２０を挿入孔１０２から引き出して挿入孔１０２の開口端１０２Ａからスプール弁１０を挿入孔１０２外に抜き出す工程とを有する。
【００３０】
このように、スプール弁１０に鉤形部５０があることにより、鉤形部５０に引っ掛かり係合する工具１２０を用いてスプール弁１０を挿入孔１０２から作業性よく抜き出することができるようになる。これにより、挿入孔１０２が有底孔であっても、スプール弁１０を挿入孔１０２から取り出すことができる。
【００３１】
次に、本発明によるスプール弁の他の実施形態を、図４を参照して説明する。
【００３２】
本実施形態では、スプール弁１０を挿入孔１０２から引き抜くための係合部として、エンドプラグ１８の軸線方向に延在して外端面１８Ａに開口した雌ねじ孔５２がエンドプラグ１８に形成されている。
【００３３】
この実施形態でも、スプール弁１０は、エンドプラグ１８が開口端１０２Ａ側に位置する姿勢で、挿入孔１０２の奥部まで挿入される。
【００３４】
スプール弁１０の修理や交換に際して、スプール弁１０を挿入孔１０２から抜き出す作業は、シャンク部１３０Ａの先端に雄ねじ部（被係合部）１３０Ｂを有する工具１３０の先端側を、開口端１０２Ａから挿入孔１０２に挿入し、工具１３０を長手軸線周りに回転させることにより、雄ねじ部１３０Ｂを雌ねじ孔５２にねじ係合させる。この状態で工具１３０を挿入孔１０２から引き出すことにより、スプール弁１０が工具１３０によって引かれるようにして挿入孔１０２の開口端１０２Ａから挿入孔１０２外に抜き出される。
【００３５】
このように、スプール弁１０に雌ねじ孔５２があることにより、雌ねじ孔５２にねじ係合する雄ねじ部（被係合部）１３０Ｂを有する工具１３０を用いてスプール弁１０を挿入孔１０２から作業性よく抜き出することができるようになる。これにより、挿入孔１０２が有底孔であっても、スプール弁１０を挿入孔１０２から取り出すことができる。
【００３６】
次に、本発明によるスプール弁の他の実施形態を、図５を参照して説明する。
【００３７】
本実施形態では、スプール弁１０を挿入孔１０２から引き抜くための係合部として、エンドプラグ１８の外端面１８Ａから軸線方向に延出した雄ねじ軸５４がエンドプラグ１８に形成されている。
【００３８】
この実施形態でも、スプール弁１０は、エンドプラグ１８が開口端１０２Ａ側に位置する姿勢で、挿入孔１０２の奥部まで挿入される。
【００３９】
スプール弁１０の修理や交換に際して、スプール弁１０を挿入孔１０２から抜き出す作業は、シャンク部１４０Ａの先端に雌ねじ部１４０Ｂを有する工具１４０の先端側を、開口端１０２Ａから挿入孔１０２に挿入し、工具１４０を長手軸線周りに回転させることにより、雌ねじ部１４０Ｂを雄ねじ軸５４にねじ係合させる。この状態で工具１４０を挿入孔１０２から引き出すことにより、スプール弁１０が工具１４０によって引かれるようにして挿入孔１０２の開口端１０２Ａから挿入孔１０２外に抜き出される。
抜き出される。
【００４０】
このように、スプール弁１０に雄ねじ軸５４があることにより、雄ねじ軸５４にねじ係合する雌ねじ部１４０Ｂを有する工具１４０を用いてスプール弁１０を挿入孔１０２から作業性よく抜き出することができるようになる。これにより、挿入孔１０２が有底孔であっても、スプール弁１０を挿入孔１０２から取り出すことができる。
【００４１】
以上、本発明を、その好適な実施形態について説明したが、当業者であれば容易に理解できるように、本発明はこのような実施形態により限定されるものではなく、本発明の趣旨を逸脱しない範囲で適宜変更可能である。鉤形部５０は、Ｌ字形、径方向の貫通孔等、引っ掛け部を有する工具が引っ掛かって、スプール弁１０を挿入孔１０２から抜き出すことができる形状であればよい。また、上記実施形態に示した構成要素は必ずしも全てが必須なものではなく、本発明の趣旨を逸脱しない限りにおいて適宜取捨選択することが可能である。
【符号の説明】
【００４２】
１０      ：スプール弁
１２      ：ハウジング本体
１４      ：スプリングピン
１６      ：スプリングピン
１８      ：エンドプラグ（ストッパ）
１８Ａ    ：外端面
１８Ｂ    ：外周面
１９      ：ストッパ面
２０      ：エンドプラグ（ストッパ）
２１      ：ストッパ面
２２      ：弁ハウジング
２４      ：弁体
２４Ａ    ：端面
２４Ｂ    ：端面
２５      ：切換ポート
２６      ：切換ポート
２８      ：切換ポート
３０      ：パイロットポート
３２      ：パイロットポート
３４      ：ランド部
３６      ：ランド部
４０      ：パイロット室
４２      ：パイロット室
４４      ：Ｏリング
４６      ：Ｏリング
４８      ：Ｏリング
５０      ：鉤形部（係合部）
５０Ａ    ：軸線方向スリット
５０Ｂ    ：径方向スリット
５２      ：雌ねじ孔（係合部）
５４      ：雄ねじ軸（係合部）
１００    ：弁保持体
１００Ａ  ：外側面
１０２    ：挿入孔
１０２Ａ  ：開口端
１０４    ：通路
１０６    ：外部接続ポート
１２０    ：工具
１２０Ａ  ：シャンク部
１２０Ｂ  ：外方延出部（被係合部）
１３０    ：工具
１３０Ａ  ：シャンク部
１３０Ｂ  ：雄ねじ部（被係合部）
１４０    ：工具
１４０Ａ  ：シャンク部
１４０Ｂ  ：雌ねじ部（被係合部）
【図１】
2019218979.tif 000003
【図２】
2019218979.tif 000004
【図３】
2019218979.tif 000005
【図４】
2019218979.tif 000006
【図５】
2019218979.tif 000007